(57)【要約】【課題】ボックス本体の開口よりも小さい壁孔が穿設されるように切断工具をガイドすることができるとともに、長さに余裕を持った余長部を有するケーブルを収容することができる配線ボックス及び同配線ボックスを形成するためのガイド部材を提供する。【解決手段】ボックス本体１２には三つの設置スペースＳ１〜Ｓ３が設けられ、そのボックス本体１２にガイド部材２０を取付けることにより、設置スペースＳ１及び設置スペースＳ３と、設置スペースＳ２との境界線上にガイド面２３を位置させることができる。そして、設置スペースＳ１を形成するボックス本体１２の内面と、ガイド面２３に沿って切断工具を移動させることにより、設置スペースＳ１と同形状の壁孔を壁材に穿設することができる。【選択図】      図１
2005094863.tif 000002
【特許請求の範囲】
【請求項１】
壁材の裏側に設置され、正面に開口を有する箱状をなすボックス本体の内側には、上下に相対向する一対の配線器具取着部が複数箇所に設けられているとともに、それら一対の配線器具取着部間にそれぞれ配線器具の設置スペースが設けられ、
前記壁材の裏側に隠れる設置スペースと、配線器具設置用に壁材の表側に向かって開放される設置スペースとの境界であり、ボックス本体の開口を上下に横断する直線に沿ってガイド面が設けられ、同ガイド面よりボックス本体の底側に設けられた連通開口により、開放される設置スペースと、壁材の裏側に隠れる設置スペースとが連通していることを特徴とする配線ボックス。
【請求項２】
前記ガイド面は、ボックス本体と別体形成されたガイド部材を、ボックス本体に取付けることにより設けられていることを特徴とする請求項１に記載の配線ボックス。
【請求項３】
前記ガイド部材に設けられた取付部と、ボックス本体に設けられた取付手段との協働により、ガイド部材がボックス本体に取付けられ、前記取付手段がボックス本体に複数箇所に形成されることにより、ガイド部材のボックス本体に対する取付位置を変更可能に形成されていることを特徴とする請求項２に記載の配線ボックス。
【請求項４】
壁材の裏側に設置され、正面に開口を有する箱状をなし、その内側に、上下に相対向する一対の配線器具取着部が複数箇所に設けられているとともに、それら一対の配線器具取着部間にそれぞれ配線器具の設置スペースが設けられたボックス本体に取付けられ、前記壁材の裏側に隠れる設置スペースと、配線器具設置用に壁材の表側に向かって開放される設置スペースとの境界であり、ボックス本体の開口を上下に横断する直線に沿って設けられるガイド面を備えるとともに、開放される設置スペースと、壁材の裏側に隠れる設置スペースとを連通させる連通開口を備え、ボックス本体に取り付けられることにより、同ボックス本体に前記ガイド面及び連通開口が設けられた配線ボックスを形成することを特徴とする配線ボックスを形成するためのガイド部材。  
【請求項５】
前記ボックス本体に設けられた取付手段との協働により、ボックス本体に取付けるための取付部が設けられ、前記取付手段がボックス本体に複数箇所に形成されることにより、ボックス本体に対する取付位置を変更可能に形成されていることを特徴とする請求項４に記載の配線ボックスを形成するためのガイド部材。
【請求項６】
前記ガイド面からは少なくとも一対の支持脚が延設され、当該支持脚同士の間に前記連通開口が形成されていることを特徴とする請求項４又は請求項５に記載の配線ボックスを形成するためのガイド部材。
【請求項７】
前記連通開口の内側に設けられ、開放される設置スペースと、壁材の裏側に隠れる設置スペースとの間を仕切る仕切部を備え、当該仕切部は除去可能に形成されていることを特徴とする請求項４〜請求項６のいずれか一項に記載の配線ボックスを形成するためのガイド部材。
【発明の詳細な説明】
【技術分野】
【０００１】
本発明は、例えば、配線器具を設置するために使用される配線ボックス及び同配線ボックスを形成するためのガイド部材に関する。
【背景技術】
【０００２】
従来より建物の壁面に配線器具を設置するために、その壁裏には配線ボックスが配設されている（例えば、特許文献１参照。）。このような配線ボックス（特許文献１では配線用ボックス）は正面に開口を有する四角箱状に形成され、内部に一個又は二個の配線器具を収容可能な大きさに形成されている。そして、配線ボックスは、建物内に立設された柱に固定され、内部にケーブルが引込まれた後、配線ボックスの前後に壁材が立設されて壁裏（壁内）に配設される。さらに、前記壁に配線器具を設置するには、前記壁材において、配線ボックスの開口と対応する位置を切除して壁孔を穿設し、その壁孔からケーブルを引き出して配線器具に接続される。このとき、前記壁孔は、配線ボックスの開口を形成する内壁面に沿って切断工具を移動させることにより、前記開口と同形状をなすように壁材に穿設される。
【０００３】
また、配線器具を設置する際、壁材の表側までケーブルを引き出す必要があるため、配線ボックスの設置段階では、ケーブルを巻回して長さに余裕を持たせた状態、即ち余長部を有する状態で配線ボックス内に収容されている。そのため、特許文献１に記載されたような配線ボックスにおいては、複数本のケーブルを余長部を有する状態で内部に収容するには狭くて困難であった。そこで、近時では、壁に設置される配線器具の個数が二個である場合は、三個以上の配線器具を収容可能とする大型の配線ボックスを用いるようになってきている。そのため、配線ボックス内には、二個の配線器具しか収容されていない状態で、二個用の配線ボックスよりも広い収容空間が確保され、複数本のケーブルを余長部を有する状態で収容することが可能となる。
【特許文献１】特開２００３−１４３７３７号公報
【発明の開示】
【発明が解決しようとする課題】
【０００４】
ところが、配線ボックスは、開口が開放されたままの状態で壁裏に設置されている。そのため、大型の配線ボックスを用いた場合、その開口を利用して上記方法で壁材に壁孔が穿設されると、大型の配線ボックスの開口と同形状をなす大きな壁孔が穿設されてしまうという問題があった。
【０００５】
本発明は、上記従来の技術に存在する問題点に着目してなされたものである。その目的とするところは、ボックス本体の開口よりも小さい壁孔が穿設されるように切断工具をガイドすることができるとともに、長さに余裕を持った余長部を有するケーブルを収容することができる配線ボックス及び同配線ボックスを形成するためのガイド部材を提供することにある。
【課題を解決するための手段】
【０００６】
上記問題点を解決するために、請求項１に記載の発明は、壁材の裏側に設置され、正面に開口を有する箱状をなすボックス本体の内側には、上下に相対向する一対の配線器具取着部が複数箇所に設けられているとともに、それら一対の配線器具取着部間にそれぞれ配線器具の設置スペースが設けられ、前記壁材の裏側に隠れる設置スペースと、配線器具設置用に壁材の表側に向かって開放される設置スペースとの境界であり、ボックス本体の開口を上下に横断する直線に沿ってガイド面が設けられ、同ガイド面よりボックス本体の底側に設けられた連通開口により、開放される設置スペースと、壁材の裏側に隠れる設置スペースとが連通していることを要旨とする。
【０００７】
請求項２に記載の発明は、請求項１に記載の配線ボックスにおいて、前記ガイド面は、ボックス本体と別体形成されたガイド部材を、ボックス本体に取付けることにより設けられていることを要旨とする。
【０００８】
請求項３に記載の発明は、請求項２に記載の配線ボックスにおいて、前記ガイド部材に設けられた取付部と、ボックス本体に設けられた取付手段との協働により、ガイド部材がボックス本体に取付けられ、前記取付手段がボックス本体に複数箇所に形成されることにより、ガイド部材のボックス本体に対する取付位置を変更可能に形成されていることを要旨とする。
【０００９】
請求項４に記載の発明は、壁材の裏側に設置され、正面に開口を有する箱状をなし、その内側に、上下に相対向する一対の配線器具取着部が複数箇所に設けられているとともに、それら一対の配線器具取着部間にそれぞれ配線器具の設置スペースが設けられたボックス本体に取付けられ、前記壁材の裏側に隠れる設置スペースと、配線器具設置用に壁材の表側に向かって開放される設置スペースとの境界であり、ボックス本体の開口を上下に横断する直線に沿って設けられるガイド面を備えるとともに、開放される設置スペースと、壁材の裏側に隠れる設置スペースとを連通させる連通開口を備え、ボックス本体に取り付けられることにより、同ボックス本体に前記ガイド面及び連通開口が設けられた配線ボックスを形成することを要旨とする。
【００１０】
請求項５に記載の発明は、請求項４に記載の配線ボックスを形成するためのガイド部材において、前記ボックス本体に設けられた取付手段との協働により、ボックス本体に取付けるための取付部が設けられ、前記取付手段がボックス本体に複数箇所に形成されることにより、ボックス本体に対する取付位置を変更可能に形成されていることを要旨とする。
【００１１】
請求項６に記載の発明は、請求項４又は請求項５に記載の配線ボックスを形成するためのガイド部材において、前記ガイド面からは少なくとも一対の支持脚が延設され、当該支持脚同士の間に前記連通開口が形成されていることを要旨とする。
【００１２】
請求項７に記載の発明は、請求項４〜請求項６のいずれか一項に記載の配線ボックスを形成するためのガイド部材において、前記連通開口の内側に設けられ、開放される設置スペースと、壁材の裏側に隠れる設置スペースとの間を仕切る仕切部を備え、当該仕切部は除去可能に形成されていることを要旨とする。
【００１３】
（作用）
請求項１又は請求項４に記載の発明によれば、設置スペースが複数箇所に設けられたボックス本体の開口側にガイド面を設け、このガイド面に沿って切断工具を移動させると、開放される設置スペースの一側縁であり、ボックス本体の開口を上下に横断する直線に沿って壁材が切断される。そして、さらに、開放される設置スペースを形成するボックス本体の内面に沿って切断工具を移動させると、開放される設置スペースの正面視における残りの三側縁に沿うように切断工具が案内され、同三側縁に沿って壁材が切断される。従って、ボックス本体の開口全体よりも狭い設置スペースの正面形状と同形状をなす壁孔が壁材に穿設される。また、連通開口により、ガイド面よりボックス本体の底側は、開放された設置スペースと、壁材の裏側に隠れる設置スペースとが連通する状態となり余長部を有するケーブルを余裕を持って収容することができる。
【００１４】
請求項２に記載の発明によれば、請求項１に記載の発明の作用に加え、ボックス本体とは別体のガイド部材をボックス本体に取付けることにより、ガイド面を必要とするときにボックス本体にガイド面を設けることができる。一方、ガイド面を必要とせずにボックス本体を使用するときは、ガイド部材をボックス本体に取付けなければよく、ボックス本体の使用目的に応じてガイド面の有無を選択することができる。
【００１５】
請求項３又は請求項５に記載の発明によれば、ボックス本体には取付手段が複数箇所に形成されている。このため、開放させる設置スペースに対応させて、ガイド面の位置を変更させてボックス本体内に設けることができる。
【００１６】
請求項６に記載の発明によれば、請求項４又は請求項５に記載の発明の作用に加え、底面から支持脚の長さだけ離れた位置にガイド面が支持される。そのため、例えば、壁材を貫通した釘等により、ガイド面がボックス本体内へ押されても、ガイド面がボックス本体内へ位置ずれしてしまうといった不都合の発生が防止される。また、ガイド面とボックス本体の底面との間に一定の距離を維持して、連通開口を維持することができる。
【００１７】
請求項７に記載の発明によれば、請求項４〜請求項６のいずれか一項に記載の発明の作用に加え、ガイド部材をボックス本体内を仕切る仕切として使用することができ、連通開口を形成する際には、容易に除去することができる。
【発明の効果】
【００１８】
本発明によれば、ボックス本体の開口よりも小さい壁孔が穿設されるように切断工具をガイドすることができるとともに、長さに余裕を持った余長部を有するケーブルを収容することができる配線ボックス及び同配線ボックスを形成するためのガイド部材を提供することができる。
【発明を実施するための最良の形態】
【００１９】
以下、本発明を具体化した配線ボックス及び同配線ボックスを形成するためのガイド部材の一実施形態を図１〜図５にしたがって説明する。
図１に示すように、合成樹脂材料製の配線ボックス１１は、正面に開口を有する四角箱状をなすボックス本体１２と、ボックス本体１２内に取付けられる略四角板状をなすガイド部材２０とから形成されている。前記ボックス本体１２は、長方形状をなす底壁１２ａと、その底壁１２ａの上下側縁部から立設された相対向する上壁１２ｂ及び下壁１２ｃと、底壁１２ａの左右側縁部から立設された相対向する左側壁１２ｄ及び右側壁１２ｅとより形成されている。そして、ボックス本体１２内の空間、即ち底壁１２ａ、上壁１２ｂ、下壁１２ｃ、左側壁１２ｄ及び右側壁１２ｅに囲まれた空間には、ケーブルＫ、配線器具等を収容するための収容空間が形成されている。この収容空間には前記ケーブルＫを巻回して長さに余裕を持たせた余長部Ｙを有する状態で収容することができるようになっている。図２に示すように、前記上壁１２ｂ及び下壁１２ｃ（図２では上壁１２ａのみ図示）には、それぞれ電線管接続孔１３が六箇所ずつ穿設されている。なお、前記電線管接続孔１３のうち、左右両側の電線管接続孔１３はそれぞれ開放され、残りの電線管接続孔１３はそれぞれノック部材１４により閉塞されている。
【００２０】
また、図２及び図４に破線に示すように、上壁１２ｂ及び下壁１２ｃの内面において、それら上壁１２ｂ及び下壁１２ｃを左右方向にほぼ三等分する位置となる２箇所には、それぞれ相対向する一対の突条１６が設けられている。図１に示すように、これら突条１６はボックス本体１２の深さ方向へ延びるように形成され、図２に破線に示すように、相対向する一対の突条１６の間には取付溝１６ａが形成され、それら取付溝１６ａはそれぞれガイド部材２０をボックス本体１２に取付けるための取付手段として形成されている。
【００２１】
また、図１に示すように、前記上壁１２ｂ及び下壁１２ｃの内面には、それぞれ配線器具取着部１５が３箇所に設けられ、それら配線器具取着部１５はそれぞれ上下に相対向しているとともに、端面がボックス本体１２の開口側に臨むように形成されている。各上下一対の配線器具取着部１５の間には、それぞれ正面視が略縦長長方形状をなす配線器具の設置スペースＳ１〜Ｓ３が設けられている。即ち、ボックス本体１２内の収容空間は、設置スペースＳ１〜Ｓ３が連通して形成され、その収容空間が各設置スペースＳ１〜Ｓ３に三分割されている。また、収容空間は、配線器具取着部１５が一箇所だけに設けられた配線ボックスの内側の空間より広くなっている。
【００２２】
前記設置スペースＳ１の左右方向への長さは、左側壁１２ｄの内面からボックス本体１２内の左側に形成された上下各取付溝１６ａまでであり、設置スペースＳ３の左右方向への長さは、右側壁１２ｅの内面からボックス本体１２内の右側に形成された上下各取付溝１６ａまでである。そして、設置スペースＳ２の左右方向への長さは、左右両取付溝１６ａ間の長さである。各設置スペースＳ１〜Ｓ３は、それぞれ上記のような左右方向への長さを幅とし、さらに、ボックス本体１２の開口の上下方向への長さを高さとし、ボックス本体１２の深さ方向への長さを奥行きとする空間によって形成されている。前記上壁１２ｂ及び下壁１２ｃにおいて、各配線器具取着部１５の両側となる位置には、前記取付手段としての係合孔１６ｂが穿設されている。
【００２３】
そして、上下一対の配線器具取着部１５により、ボックス本体１２に配線器具を取着することが可能となっている。即ち、図示しないが一個又は二個の配線器具を保持した取付枠の上下に固定ビスを挿通し、それら固定ビスを上下に相対向する配線器具取着部１５に螺着する。すると、前記配線器具が、配線器具取着部１５に対応する設置スペースＳ１〜Ｓ３に収容されるとともに、収容空間に収容された状態でボックス本体１２に取着される。
【００２４】
次に、配線ボックス１１を形成するためのガイド部材２０について説明する。図３に示すように、合成樹脂製又は金属製のガイド部材２０は、略四角板状をなす閉塞壁２１と、その閉塞壁２１の四隅から延設された四本の支持脚２２と、閉塞壁２１の両長側縁部に沿って設けられたガイド面２３とから構成されている。前記閉塞壁２１の短辺方向への長さは、各設置スペースＳ１〜Ｓ３の左右方向への長さよりわずかに短く設定されている。一方、閉塞壁２１の長辺方向への長さは、ボックス本体１２内の上下方向への開口長さより僅かに短く設定されている。そして、閉塞壁２１は、設置スペースＳ１〜Ｓ３のうちの一つの正面形状の略１倍の大きさに設定されているため、各設置スペースＳ１〜Ｓ３のうちの一つのみを閉塞可能な大きさに設定されている。そして、ガイド部材２０を二つ使用すれば、二つの設置スペースを閉塞することができ、ガイド部材２０の個数と同じ数の設置スペースを閉塞することができる。
【００２５】
前記ガイド部材２０の上下に相対向する短側縁の中央部はそれぞれ円弧状に凹み、その凹んだ部位には取付凹部２７が設けられている。また、ガイド部材２０の両短辺の端縁には、それぞれ一対の取付突起２４が、前記取付凹部２７を挟むように突設されている。この取付突起２４は前記係合孔１６ｂに係合可能に形成されている。そして、取付突起２４は係合孔１６ｂとの協働により、ガイド部材２０をボックス本体１２に取付けるための取付部としてガイド部材２０に設けられている。さらに、閉塞壁２１の中央部には、一対の円孔２５が穿設されている。閉塞壁２１の相対向する一対の長辺側にはそれぞれガイド面２３が設けられ、前記ガイド面２３はそれぞれ一定の幅を有するとともに、閉塞壁２１に対して直交する面上に形成されている。前記支持脚２２は、前記取付溝１６ａに挿入可能に形成されている。そして、支持脚２２は、取付溝１６ａとの協働により、ガイド部材２０をボックス本体１２に取付けるための取付部として形成されている。閉塞壁２１の長辺方向に隣接する支持脚２２の間には、連通開口２９が形成されている。
【００２６】
さて、ボックス本体１２及びガイド部材２０により配線ボックス１１を形成して配線器具を取付けるには、まず、図１及び図４に示すように、ボックス本体１２の左側壁１２ｄ側を建物内に立設された柱３１に当接させた状態でビス３２により固定する。次に、上壁１２ｂの左側の電線管接続孔１３に、合成樹脂製の可撓管である電線管３３を接続する。さらに、隣接する電線管接続孔１３を、ノック部材１４を除去して開放し、その電線管接続孔１３に電線管３３を接続する。次いで、各電線管３３内にケーブルＫを挿通し、各ケーブルＫをそれぞれボックス本体１２内へ引込む。このとき、各ケーブルＫを、後にボックス本体１２の前面側に立設される壁材３４の前面側へ引き出すことができるように、各ケーブルＫに余長部Ｙを設ける。そして、余長部Ｙを有するケーブルＫをそれぞれ収容空間内に収容する。
【００２７】
続いて、ボックス本体１２の中央上下の配線器具取着部１５と、閉塞壁２１の上下の取付凹部２７とを位置合わせする。さらに、その配線器具取着部１５に隣接する取付溝１６ａと、支持脚２２とを位置合わせする。そして、各支持脚２２を取付溝１６ａ内に挿入し、各支持脚２２の端面をボックス本体１２の底面である底壁１２ａに当接させると、図４に示すように、底壁１２ａから一定長さだけ離れたボックス本体１２の開口側に閉塞壁２１及びガイド面２３が支持される。また、図１に示すように、この当接状態では、各取付突起２４が、それぞれ係合孔１６ｂに係合する。その結果、四本の支持脚２２により、閉塞壁２１及びガイド面２３がボックス本体１２の奥方へ移動することなく一定位置に支持されるとともに、取付突起２４と係合孔１６ｂとの係合関係により、ボックス本体１２にガイド部材２０が容易に外れない状態に取付けられる。また、閉塞壁２１は、ボックス本体１２の開口端と同一平面上に位置している。
【００２８】
図４に示すように、一つの設置スペースＳ２が一枚の閉塞壁２１により閉塞されているため、開放された各設置スペースＳ１，Ｓ３はそれぞれはボックス本体１２の開口より狭くなっている。また、設置スペースＳ１と設置スペースＳ２との境界及び設置スペースＳ３と設置スペースＳ２の境界に沿って、それぞれガイド面２３が延びるように設けられている。即ち、各ガイド面２３は、それぞれ設置スペースＳ１の正面視における一側縁である右側縁と、設置スペースＳ３の正面視における一側縁である左側縁に沿って延びるように設けられている。また、両ガイド面２３は、それぞれボックス本体１２の開口を上下に横断する直線に沿って延びるようにボックス本体１２内に設けられている。そして、図１に示すように、ガイド面２３よりもボックス本体１２の底壁１２ａ側には、連通開口２９によって設置スペースＳ１と設置スペースＳ２、設置スペースＳ２と設置スペースＳ３とが連通している。即ち、ボックス本体１２にガイド面２３が設けられた状態でも、設置スペースＳ１〜Ｓ３が全て連通して収容空間が形成されている。そして、ボックス本体１２とガイド部材２０とより配線ボックス１１が形成される。
【００２９】
次に、図５に示すように、配線ボックス１１の前後両側に壁材３４（前側の壁材３４のみ図示）が立設され、ボックス本体１２、即ち配線ボックス１１が壁裏に配設される。このとき、閉塞壁２１がボックス本体１２の開口端面と同一平面上に位置するため、壁材３４の裏面にボックス本体１２の開口端面が当接し、ボックス本体１２と壁材３４との間に間隙が形成されない。
【００３０】
そして、配線ボックス１１の前面側に立設された壁材３４に配線器具を設置するには、まず、ボックス本体１２の開口において、設置スペースＳ１を、配線器具設置用として開放させ、壁材３４の表側に向かって開放させる。一方、設置スペースＳ２及び設置スペースＳ３は、壁材３４の裏側に隠れ、同壁材３４により閉塞される。そして、設置スペースＳ１を壁材３４の表側に臨ませるには、まず、壁材３４の表側において、設置スペースＳ１と対応する位置を、図示しない切断工具により切断し、さらに、同切断工具を設置スペースＳ１を形成する上壁１２ｂの内面に当接させる。そして、同上壁１２ｂの内面に沿って切断工具を移動させると、設置スペースＳ１の一側縁に沿って壁材３４が切断される。同様に、左側壁１２ｄの内面及び下壁１２ｃの内面に沿って切断工具を移動させると、設置スペースＳ１の正面視における三側縁に沿って壁材３４が切断される。さらに、ガイド面２３に沿って切断工具を移動させると、設置スペースＳ１の一側縁に沿って壁材３４が切断されるとともに、ボックス本体１２の開口を上下方向に横断する直線に沿って壁材３４が切断される。その結果、設置スペースＳ１の外郭となる四側縁に沿って壁材３４が切断され、設置スペースＳ１の正面視における形状と同形状の壁孔３４ａが壁材３４に穿設される。
【００３１】
壁孔３４ａにより、ボックス本体１２の開口のうち左側の設置スペースＳ１のみが壁材３４の表側に臨んで開放され、その他の設置スペースＳ２及び設置スペースＳ３が壁材３４の裏側に隠れる。続いて、ボックス本体１２内の二本のケーブルＫをそれぞれ壁孔３４ａを通過させて壁材３４の表側に引出し、各ケーブルＫに配線器具を接続する。このとき、各ケーブルＫは余長部Ｙを有する状態で収容空間内に収容されていたため、各ケーブルＫの先端側が壁材３４の表側に十分引き出すことが可能となり、配線器具との接続作業が余裕を持って行われる。そして、図示しないが、配線器具は取付枠を用いてボックス本体１２に取付けられ、配線ボックス１１に収容、設置される。さらに、図示しない化粧プレートを用いて壁孔３４ａが覆われる。
【００３２】
このとき、壁孔３４ａの大きさは設置スペースＳ１の正面視形状と同じ大きさであるため、三つの設置スペースＳ１〜Ｓ３が設けられたボックス本体１２を使用しても、設置スペースＳ１のみが設けられるボックス本体を使用した際に適用される化粧プレートが使用される。即ち、化粧プレートを大型化することなく、壁孔３４ａを覆うことが可能となる。なお、ボックス本体１２に取付けられたガイド部材２０を取り外すときは、壁材３４が立設される前に、一対の円孔２５に指を挿通し、その指を閉塞壁２１の裏面に引っ掛けてガイド部材２０を、ボックス本体１２から離れる方向へ引張る。すると、取付突起２４と係合孔１６ｂとの係合が解除されて、ガイド部材２０がボックス本体１２から取り外される。
【００３３】
上記実施形態によれば、以下のような効果を得ることができる。
（１）配線ボックス１１は、ボックス本体１２の開口側にガイド面２３が設けられて形成されている。そして、このガイド面２３はボックス本体１２の開口を横断する位置に設けられるため、同ガイド面２３及びボックス本体１２の内面に沿って切断工具を移動させることにより、ボックス本体１２の開口よりも小さい壁孔３４ａを壁材３４に容易に穿設することができる。また、ガイド部材２０がボックス本体１２に取付けられた状態では、ガイド面２３はボックス本体１２の開口側に位置し、隣接する支持脚２２の間には連通開口２９が形成されている。そのため、ボックス本体１２内には設置スペースＳ１〜Ｓ３よりなる収容空間が、ガイド部材２０に仕切られることなく形成されている。従って、ボックス本体１２内に、余長部Ｙを有する一対のケーブルＫを余裕を持って収容することができる。
【００３４】
（２）ボックス本体１２の開口は、閉塞壁２１により一部閉塞されている。そのため、ボックス本体１２の開口全体が開放され壁材３４裏に設置されている場合と異なり、壁材３４の表側から打ち込まれた釘等がボックス本体１２内に侵入しにくくなる。従って、ボックス本体１２内に収容されたケーブルＫを釘等により損傷を受けにくくすることができる。
【００３５】
（３）設置スペースＳ１〜Ｓ３よりなる収容空間全体を、二本のケーブルＫの収容空間として使用することができる。従って、設置スペースＳ１のみが設けられたボックス本体内に、二本のケーブルＫを余長部Ｙを有した状態で収容する場合と異なり、各ケーブルＫのボックス本体１２内への収容作業を容易に行うことができる。さらに、狭い空間にケーブルＫを無理矢理曲げて押し込んだりする場合と異なり、ケーブルＫを緩やかに曲げた状態で収容することができるため、ケーブルＫが断線したりする虞を無くすことができる。特に、光ケーブルを収容するために配線ボックス１１を使用することにより、光ケーブルを、最小曲げ半径を確保して巻回することが可能となり、光ケーブルの挫屈による破損、伝搬率の低下を防止することができる。
【００３６】
（４）ガイド部材２０はボックス本体１２と別体であるため、壁孔３４ａを壁材３４に穿設するためにガイド面２３を必要とするときは、ガイド部材２０をボックス本体１２に取付ける。一方、ガイド面２３を必要としないときは、ガイド部材２０をボックス本体１２に取付ける必要が無く、ボックス本体１２の開口をガイド面２３が横断することなく広くすることができる。
【００３７】
（５）ガイド部材２０はボックス本体１２と別体であり、ボックス本体１２には二箇所に取付溝１６ａと係合孔１６ｂが設けられている。そのため、ボックス本体１２に対するガイド部材２０の取付位置を変更することができる。そして、例えば、ガイド面２３を、設置スペースＳ２と設置スペースＳ３の境界に沿って設け、設置スペースＳ１及び設置スペースＳ２を開放させて配線器具設置用に使用したいときは、ガイド部材２０をボックス本体１２内の右側に取り付ることができる。従って、穿設する壁孔３４ａの大きさ、位置等に対応してガイド面２３の位置を容易に変更することができる。
【００３８】
（６）ガイド部材２０をボックス本体１２に取付けたとき、支持脚２２により、ボックス本体１２の開口側にガイド面２３が支持されるため、ガイド面２３がボックス本体１２内へ位置ずれしてしまうといった不都合の発生が防止される。従って、切断工具の刃部が壁材３４裏側に達すると、切断工具をガイド面２３に速やかに当接させることができ、切断工具をガイド面２３により案内しやすくすることができる。また、支持脚２２により連通開口２９の開口状態を維持することができ、収容空間を確保することができる。
【００３９】
（７）支持脚２２と取付溝１６ａとの係合により、ボックス本体１２の左右方向へのガイド部材２０の移動を防止することができる。そのため、ガイド面２３を設置スペースＳ１と設置スペースＳ２の境界上に位置決めすることができる。
【００４０】
（８）取付突起２４と、係合孔１６ｂとの係合により、ガイド部材２０はボックス本体１２に容易に外れないように取付けられる。そのため、ガイド面２３のボックス本体１２内における位置ずれ等を防止することができ、設置スペースＳ１の一側縁に沿った壁孔３４ａを壁材３４に確実に穿設することができる。
【００４１】
なお、上記実施形態は以下のように変更してもよい。
・  実施形態では、ガイド部材２０において、閉塞壁２１の長辺方向に隣接する支持脚２２間に連通開口２９が設けられていたが、図６に示すように、前記支持脚２２間に仕切部としての閉鎖壁Ｈを設けてもよい。なお、この閉鎖壁Ｈは、同閉鎖壁Ｈの周縁部に複数箇所に設けられた連結片３０によってガイド面２３の側縁と一対の支持脚２２の側縁に連結されている。そして、ガイド部材２０がボックス本体１２に取り付けられた状態では、ガイド面２３及び閉鎖壁Ｈにより、ボックス本体１２内が仕切られている。例えば、ボックス本体１２の中央にガイド部材２０を取付け、設置スペースＳ１及び設置スペースＳ３と、設置スペースＳ２との境界に沿ってガイド面２３及び閉鎖壁Ｈを位置させる。そして、左側の閉鎖壁Ｈを除去して、設置スペースＳ１と設置スペースＳ２よりなる収容空間に一対の強電ケーブルを引込む。一方、右側の設置スペースＳ３内に一本の弱電ケーブルを引込む。すると、他方の閉鎖壁Ｈにより、ボックス本体１２内が仕切られ、強電ケーブルと弱電ケーブルとが交わりにくくなる。なお、図３に２点鎖線に示すように、支持脚２２を追加し、その追加された支持脚２２を仕切部として機能させてもよい。
【００４２】
・  実施形態では、ガイド部材２０に閉塞壁２１を設け、設置スペースＳ２を閉塞したが、図７に示すガイド部材４０を使用してもよい。即ち、このガイド部材４０はガイド面４１と、同ガイド面４１の両端部から延設された一対の支持脚４２とから構成されている。そして、一対の支持脚４２を取付溝１６ａに挿入することにより、隣接する設置スペースＳ１〜Ｓ３の境界に沿ってガイド面４１を設けることができる。また、このガイド部材４０は金属材料や強化プラスチック等により形成して、切断工具の刃部の側面が当接しても変形しないように所要の強度を付与することが好ましい。さらには、図７に２点鎖線に示すように、前記一対の支持脚４２間に仕切部としての閉鎖壁４３を設けてもよく、この閉鎖壁４３は、同閉鎖壁４３の周縁部に複数箇所に設けられた連結片４４によってガイド面４１の側縁と一対の支持脚４２の側縁に連結されている。そして、閉鎖壁４３がガイド部材４０に一体形成されることにより、この閉鎖壁４３を備えたガイド部材４０には所要の強度が付与され、切断工具の刃部の側面が当接しても変形しにくくなる。また、ガイド部材４０によりボックス本体１２内を仕切ることも可能となり、連通開口を形成するときは、閉鎖壁４３を容易に除去することができる。
【００４３】
・  実施形態では、取付突起２４と係合孔１６ｂとの係合及び支持脚２２の取付溝１６ａへの挿入により、ガイド部材２０をボックス本体１２に取付けたが、以下のように変更してもよい。即ち、取付溝１６ａ及び支持脚２２の少なくともいずれか一方を省略し、取付突起２４と係合孔１６ｂの係合のみによってガイド部材２０をボックス本体１２に取り付けてもよい。又は取付突起２４及び係合孔１６ｂの少なくともいずれか一方を省略して、取付溝１６ａに対する支持脚２２の挿入のみによってガイド部材２０をボックス本体１２に取り付けてもよい。
【００４４】
・  取付突起２４と、係合孔１６ｂとの係合によりガイド部材２０をボックス本体１２に取付けたが以下のように変更してもよい。閉塞壁２１に取付部としての係合孔を凹設し、ボックス本体１２の上壁１２ｂ及び下壁１２ｃに取付手段としての取付突起を形成して互いの係合によりガイド部材２０をボックス本体１２に取り付けて配線ボックス１１を形成してもよい。
【００４５】
・  実施形態では、閉塞壁２１の長辺側両側縁にガイド面２３を設けたが、いずれか一方の側縁のみにガイド面２３を設けてもよい。
・  実施形態では、ボックス本体１２にガイド部材２０を取付けて、ボックス本体１２にガイド面２３を設けたが、ボックス本体１２内にガイド面２３を一体形成してもよい。又はガイド面２３を備えた閉塞壁２１をボックス本体１２内に一体形成してもよい。
【００４６】
・  実施形態では、ボックス本体１２内に、上下一対の配線器具取着部１５を三箇所に形成し、三つの設置スペースＳ１〜Ｓ３を形成したが、以下のように変更してもよい。例えば、ボックス本体１２を実施形態より小型化し、そのボックス本体１２内部に上下一対の配線器具取着部１５を二箇所だけ形成し、二つの設置スペースを形成する。そして、いずれか一方の設置スペースを開放し、他方を壁材３４の裏側に隠して両スペースの境界にガイド面２３を設けてもよい。
【００４７】
又はボックス本体１２を実施形態より大型化し、そのボックス本体１２内部に上下一対の配線器具取着部１５を四箇所以上に形成し、四つ以上の設置スペースを形成する。そして、いずれかの設置スペースを開放し、他を壁材３４の裏側に隠して両スペースの境界にガイド面２３を設けてもよい。このとき、ガイド部材２０の取付位置を変更して、開放される設置スペースの大きさ、位置等を変更してもよい。また、ガイド部材２０により全ての設置スペースを閉塞し、ボックス本体１２の全ての設置スペースが閉塞された状態で、開放させる一つ又は二つ以上の設置スペースに対応するガイド部材２０を除去してもよい。
【００４８】
・  実施形態では、ガイド部材２０により設置スペースＳ２を閉塞したが、さらに設置スペースＳ１又は設置スペースＳ３を閉塞するためにガイド部材２０をもう一体使用してもよい。このとき、取付溝１６ａには支持脚２２が挿入できないため、新たに取付けられるガイド部材２０の支持脚２２を除去し、取付突起２４と係合孔１６ｂとの係合によりボックス本体１２にガイド部材２０を取付ける。
【００４９】
・  実施形態では、ガイド部材２０により設置スペースＳ２を閉塞したが、さらに設置スペースＳ１及び設置スペースＳ３の両方、即ち全ての設置スペースＳ１〜Ｓ３を閉塞するためにガイド部材２０をもう二体使用してもよい。このとき、取付溝１６ａには支持脚２２が挿入できないため、新たに取付けられるガイド部材２０の支持脚２２を除去し、取付突起２４と係合孔１６ｂとの係合によりボックス本体１２にガイド部材２０を取付ける。そして、ボックス本体１２の全ての設置スペースＳ１〜Ｓ３が閉塞された状態で、開放させる一つ又は二つの設置スペースに対応するガイド部材２０を除去してもよい。
【００５０】
・  実施形態では、設置スペースＳ１のみを壁孔３４ａから壁材３４の表側に開放させたが、設置スペースＳ３と対応する壁孔３４ａを壁材３４に穿設して、設置スペースＳ３も壁材３４の表側に開放させ、設置スペースＳ２のみを壁材３４の裏側に隠れる用に配置してもよい。
【００５１】
・  実施形態では、閉塞壁２１を一つの設置スペースの正面形状の略１倍の大きさとし、一つの設置スペースを閉塞する大きさに形成したが、閉塞壁２１を二つ、三つといった一つの設置スペースの正面形状の整数倍の大きさとし、二つ以上の設置スペースを閉塞する大きさに形成してもよい。
【００５２】
・  実施形態では、壁孔３４ａを穿設するとき、上壁１２ｂ、左側壁１２ｄ、下壁１２ｃ、ガイド面２３の順序で切断工具を案内させたが、切断工具を案内させる順序を任意に変更してもよい。
【００５３】
次に、上記実施形態及び別例から把握できる技術的思想について、それらの効果とともに以下に追記する。
（１）前記開放される設置スペースは、前記壁材に穿設される壁孔によって同壁材の表側に臨むとともに、前記ガイド面が前記壁孔の一側縁となる位置に設けられ、当該ガイド面は、前記壁孔を穿設すべく壁材を切断する切断工具を、当該壁孔の一側縁を切断するようにガイドすることを特徴とする請求項１〜請求項３のいずれか一項に記載の配線ボックス。このように構成した場合、ガイド面により、ボックス本体の開口よりも小さい壁孔が穿設されるように切断工具をガイドすることができる。
【００５４】
（２）前記ガイド部材は、複数の設置スペースのうち任意の設置スペースを開放するためにボックス本体内の任意の位置に取付可能に形成されていることを特徴とする請求項３に記載の配線ボックス。このように構成した場合、穿設する壁孔の大きさ、位置等に対応してガイド面の位置を容易に変更することができる。
【００５５】
（３）壁材の裏側に設置され、正面に開口を有する箱状をなすボックス本体の内側には、相対向する一対の配線器具取着部が複数箇所に設けられているとともに、それら一対の配線器具取着部間にそれぞれ配線器具の設置スペースが設けられ、前記壁材の裏側に隠れる設置スペースと、配線器具設置用に壁材の表側に向かって開放される設置スペースとの境界であり、ボックス本体の開口を上下に横断する直線に沿ってガイド面が設けられ、同ガイド面のボックス本体の底側に設けられた連通開口により、開放される設置スペースと、壁材の裏側に隠れる設置スペースとが連通している配線ボックスを使用して壁材に壁孔を穿設する方法であって、前記壁材を切断する切断工具を前記ガイド面及び、開放される設置スペースを形成するボックス本体の内面に沿って切断工具を移動させて、開放される設置スペースの側縁に位置する壁材を切断して、開放される設置スペースの正面形状と同形状をなす壁孔を壁材に穿設することを特徴とする配線ボックスを使用した壁孔の穿設方法。このように構成した場合、ガイド面及びボックス本体の内面により、ボックス本体の開口よりも小さい壁孔が穿設されるように切断工具をガイドして壁材に壁孔を穿設することができる。
【図面の簡単な説明】
【００５６】
【図１】実施形態の配線ボックスを示す斜視図。
【図２】実施形態のボックス本体を示す平面図。
【図３】実施形態のガイド部材を示す斜視図。
【図４】実施形態の配線ボックスを柱に固定した状態を示す正面図。
【図５】壁材裏に設置された配線ボックスを示す正面図。
【図６】別例のガイド部材を示す斜視図。
【図７】別例のガイド部材を示す斜視図。
【符号の説明】
【００５７】
Ｈ…仕切部としての閉鎖壁、Ｓ１〜Ｓ３…設置スペース、１１…配線ボックス、１２…ボックス本体、１５…配線器具取着部、１６ａ…取付手段としての取付溝、１６ｂ…取付手段としての係合孔、２０，４０…ガイド部材、２２，４２…取付部としての支持脚、２３，４１…ガイド面、２４…取付部としての取付突起、２９…連通開口、３４…壁材。
【図１】
2005094863.tif 000003
【図２】
2005094863.tif 000004
【図３】
2005094863.tif 000005
【図４】
2005094863.tif 000006
【図５】
2005094863.tif 000007
【図６】
2005094863.tif 000008
【図７】
2005094863.tif 000009